(57)【要約】【課題】防犯装置の構成の簡易化及び低コスト化を図る。【解決手段】展開体１０は、上下方向に延在した複数個の縦膨張室１１Ｌ，１１Ｃ，１１Ｒと、左右方向に延在した複数個の横膨張室１２Ｔ，１２Ｍ，１２Ｂとを有している。中央の横膨張室１２Ｍの前面に、売り場側へ向って開放した噴射口１４が設けられている。ガス発生器２０からダクト１６を介して各室１１Ｌ，１１Ｃ，１１Ｒ，１２Ｔ，１２Ｍ，１２Ｂにガスが導入されることにより、展開体１０がレジカウンタＣの店員側と売り場側とを仕切るように展開する。ダクト１６内に、液体Ｑを収納した袋体３０が配置されている。ガス発生器２０がガス発生作動すると、該ガス発生器２０からの発生ガス圧により袋体３０が破裂し、ダクト１６内に液体Ｑが放出される。その後、この液体Ｑを含んだガスが横膨張室１２Ｍ内から各噴射口１４を通って横膨張室１２Ｍ外に流出することにより、液体Ｑが売り場側に向って噴射される。【選択図】図４
2011175359.tif 000002
【特許請求の範囲】
【請求項１】
カウンタの内側領域と外側領域とを仕切るように展開可能な展開体と、
緊急時に該展開体を展開させる展開手段と、
該展開体の展開時にカウンタの外側領域に液体を噴射する液体噴射手段と
を備えた防犯装置であって、
該展開手段は、ガス発生器を備えており、
該展開体は、ガスが導入されることにより膨張する室を有しており、
該ガス発生器から該室にガスが導入されることにより該展開体が展開するように構成された防犯装置において、
前記液体噴射手段は、該展開体と共通の該ガス発生器からの発生ガス圧により液体を噴射するように構成されていることを特徴とする防犯装置。
【請求項２】
請求項１において、前記液体噴射手段は、前記液体を収納した袋体を備えており、
該袋体は、前記ガス発生器からの発生ガス圧により破裂して前記室内に該液体を放出するように構成されており、
該室の壁面に、前記展開体が展開完了した状態においてカウンタの外側領域に向って開放する噴射口が設けられており、
該展開体の展開時に、該室内の該液体を含んだガスが該噴射口を通って該室外に流出することにより、該液体がカウンタの外側領域に向って噴射されることを特徴とする防犯装置。
【請求項３】
請求項２において、前記噴射口は、通気性及び通液性を有する膜体によって覆われていることを特徴とする防犯装置。
【請求項４】
請求項１ないし３のいずれか１項において、前記室は、前記展開体が展開完了した状態において上下方向に延在する複数個の縦膨張室と、該縦膨張室同士を連通した複数個の横膨張室とを備えていることを特徴とする防犯装置。
【請求項５】
請求項４において、隣り合う前記縦膨張室同士及び横膨張室同士は、それぞれ間隔をおいて配置されており、
前記展開体のうち該縦膨張室同士の間且つ横膨張室同士の間の部分は、ガスが導入されない非膨張部となっていることを特徴とする防犯装置。
【請求項６】
請求項４又は５において、前記展開体が展開完了した状態において、前記縦膨張室の、延在方向と直交する断面の面積は５０〜１１０ｃｍ２であることを特徴とする防犯装置。
【請求項７】
請求項１ないし６のいずれか１項において、前記液体は、塗料であることを特徴とする防犯装置。
【発明の詳細な説明】
【技術分野】
【０００１】
本発明は、カウンタの内側領域と外側領域とを仕切るように展開可能な展開体と、緊急時に該展開体を展開させる展開手段と、該展開体の展開時にカウンタの外側領域に液体を噴射する液体噴射手段とを備えた防犯装置に係り、特に該展開手段は、ガス発生器を備えており、該展開体は、ガスが導入されることにより膨張する室を有しており、該ガス発生器から該室にガスが導入されることにより該展開体が展開するように構成された防犯装置に関する。
【背景技術】
【０００２】
コンビニエンスストアや銀行等において、強盗侵入時等の緊急時に、カウンタの内側領域と外側領域とを隔てるように幕状の展開体を展開させる防犯装置が周知である。
【０００３】
特開２００６−３２３５６８号公報には、この展開体として、ガスが導入されることにより膨張する室を有しており、この室にガスが導入されることにより、折り畳まれた状態から幕状に展開するように構成されたカーテンエアバッグを備えた防犯装置が記載されている。同号公報では、この防犯装置は、カウンタの上方の天井に設置されており、強盗侵入時等の緊急時には、ガス発生器がガス発生作動してカーテンエアバッグが天井から下方に向って膨張展開し、カウンタの内側領域と外側領域とを隔てるようになる。
【０００４】
同号公報の防犯装置には、さらに、このカーテンエアバッグの展開時にカウンタの外側領域に向ってマーキング用の塗料や催涙ガスを噴射する噴射装置が設けられている。この噴射装置は、塗料や催涙ガスを封入した圧力ボンベを備えており、この圧力ボンベのガス圧により塗料や催涙ガスをカウンタの外側領域に向って噴射するように構成されている。
【先行技術文献】
【特許文献】
【０００５】
【特許文献１】特開２００６−３２３５６８号公報
【発明の概要】
【発明が解決しようとする課題】
【０００６】
上記特開２００６−３２３５６８号公報の防犯装置では、カーテンエアバッグを展開させるための動力源としてガス発生器が設けられると共に、塗料や催涙ガスを噴射するための動力源として圧力タンクが設けられている。即ち、上記特開２００６−３２３５６８号公報の防犯装置にあっては、カーテンエアバッグ用及び噴射装置用の２種類の動力源を設ける必要がある。そのため、同号公報の防犯装置は、構成が複雑であると共に、コスト高である。
【０００７】
本発明は、このようにガス発生器からの発生ガスにより展開する展開体と、該展開体の展開時にカウンタの外側領域に液体を噴出する液体噴射手段とを備えた防犯装置の構成の簡易化及び低コスト化を図ることを目的とする。
【課題を解決するための手段】
【０００８】
本発明（請求項１）の防犯装置は、カウンタの内側領域と外側領域とを仕切るように展開可能な展開体と、緊急時に該展開体を展開させる展開手段と、該展開体の展開時にカウンタの外側領域に液体を噴射する液体噴射手段とを備えた防犯装置であって、該展開手段は、ガス発生器を備えており、該展開体は、ガスが導入されることにより膨張する室を有しており、該ガス発生器から該室にガスが導入されることにより該展開体が展開するように構成された防犯装置において、前記液体噴射手段は、該展開体と共通の該ガス発生器からの発生ガス圧により液体を噴射するように構成されていることを特徴とするものである。
【０００９】
請求項２の防犯装置は、請求項１において、前記液体噴射手段は、前記液体を収納した袋体を備えており、該袋体は、前記ガス発生器からの発生ガス圧により破裂して前記室内に該液体を放出するように構成されており、該室の壁面に、前記展開体が展開完了した状態においてカウンタの外側領域に向って開放する噴射口が設けられており、該展開体の展開時に、該室内の該液体を含んだガスが該噴射口を通って該室外に流出することにより、該液体がカウンタの外側領域に向って噴射されることを特徴とするものである。
【００１０】
請求項３の防犯装置は、請求項２において、前記噴射口は、通気性及び通液性を有する膜体によって覆われていることを特徴とするものである。
【００１１】
請求項４の防犯装置は、請求項１ないし３のいずれか１項において、前記室は、前記展開体が展開完了した状態において上下方向に延在する複数個の縦膨張室と、該縦膨張室同士を連通した複数個の横膨張室とを備えていることを特徴とするものである。
【００１２】
請求項５の防犯装置は、請求項４において、隣り合う前記縦膨張室同士及び横膨張室同士は、それぞれ間隔をおいて配置されており、前記展開体のうち該縦膨張室同士の間且つ横膨張室同士の間の部分は、ガスが導入されない非膨張部となっていることを特徴とするものである。
【００１３】
請求項６の防犯装置は、請求項４又は５において、前記展開体が展開完了した状態において、前記縦膨張室の、延在方向と直交する断面の面積は５０〜１１０ｃｍ２であることを特徴とするものである。
【００１４】
請求項７の防犯装置は、請求項１ないし６のいずれか１項において、前記液体は、塗料であることを特徴とするものである。
【発明の効果】
【００１５】
本発明（請求項１）の防犯装置にあっては、液体噴射手段は、展開体と共通のガス発生器からの発生ガス圧により液体をカウンタの外側領域に向って噴射するように構成されている。これにより、展開体を展開させるためのガス発生器とは別個に、液体を噴射するための動力源を設けることが不要であり、防犯装置の構成の簡易化及び低コスト化を図ることが可能である。
【００１６】
請求項２の態様にあっては、液体噴射手段は、液体を収納した袋体を備えており、この袋体は、ガス発生器がガス発生作動したときに、その発生ガス圧により破裂して展開体の室内に液体を放出するように構成されている。また、この室の壁面に、カウンタの外側領域に向って開放した噴射口が設けられており、展開体の展開時には、この室内の液体を含んだガスが該噴射口を通って室外に流出することにより、液体がカウンタの外側領域に向って噴射される。これにより、きわめて簡易な構成にて、展開体の展開時に液体をカウンタの外側領域に向って噴射することが可能である。また、このように展開体の室の壁面に噴射口を設けたことにより、展開体が展開完了した状態において、噴射口から噴射対象者までの距離が比較的近くなるので、噴射口から噴射された液体が速やかに且つ過度に拡散する前に噴射対象者に付着するようになる。
【００１７】
請求項３の通り、噴射口は、通気性及び通液性を有する膜体によって覆われていることが好ましい。このような膜体によって噴射口を覆うことにより、展開体の室内の液体が噴射口から噴射されるときに、この膜体の微細な孔を通ってスプレー状に噴射されるようになる。これにより、噴射口から比較的広範囲に略均等に液体が噴射される。
【００１８】
請求項４の態様では、展開体の室は、該展開体が展開完了した状態において上下方向に延在する複数個の縦膨張室と、該縦膨張室同士を連通した複数個の横膨張室とを備えている。このように展開体に複数個の膨張室を設けることにより、展開体の膨張厚みが過度に大きくなることが防止される。また、各縦膨張室の膨張により、展開体の上下方向の展開が助勢されると共に、各横膨張室の膨張により、展開体の横方向の展開が助勢される。しかも、これらの柱状の縦膨張室と梁状の横膨張室とが格子状に連なっているので、展開完了後の展開体の剛性が高いものとなり、例えば犯人等がこの展開体を押し退けようとしても、しっかりと対抗することができる。
【００１９】
請求項５の態様では、隣り合う縦膨張室同士及び横膨張室同士は、それぞれ間隔をおいて配置されており、展開体のうちこれらの縦膨張室同士の間且つ横膨張室同士の間の部分は、ガスが導入されない非膨張部となっている。そのため、展開体が比較的広い展開面積を有したものであっても、室の容積が過度に大きくなることがないので、ガス発生器として高出力のものを用いなくても、十分に早期に展開体を展開させることができる。
【００２０】
請求項６の通り、展開体が展開完了した状態において、縦膨張室の、延在方向と直交する断面の面積は５０〜１１０ｃｍ２であることが好ましい。このように構成することにより、展開完了した展開体をしっかりと自立させることができる。
【００２１】
請求項７の通り、展開体の展開時にカウンタの外側領域に向って噴射される液体としては、犯人にマーキングを行うための塗料が好ましい。
【図面の簡単な説明】
【００２２】
【図１】実施の形態に係る防犯装置を備えたレジカウンタの展開体展開時における斜視図である。
【図２】図１の防犯装置の展開体の展開状態における正面図である。
【図３】（ａ）図は図２のIIIＡ−IIIＡ線に沿う断面図であり、（ｂ）図は図２のIIIＢ−IIIＢ線に沿う断面図である。
【図４】図２のIV−IV線に沿う断面図である。
【図５】図２の展開体のダクト付近の分解斜視図である。
【図６】図２のVI−VI線に沿う断面図である。
【図７】（ａ）図は図６のVII−VII線に沿う断面図であり、（ｂ）図はインフレータ作動開始直後の（ａ）図と同様部分の断面図である。
【図８】図１の防犯装置の展開体未展開状態の断面図である。
【図９】図１の防犯装置の作動を示す店舗内の概略図であり、（ａ）図は防犯装置作動前を示し、（ｂ）図は防犯装置作動後を示している。
【発明を実施するための形態】
【００２３】
以下、図面を参照して本発明の実施の形態について説明する。なお、以下の実施の形態は、防犯装置をコンビニエンスストア等の店舗のレジカウンタに設置した例を示しているが、本発明の防犯装置は、これ以外の場所（例えば銀行等の窓口カウンタなど）に設置されてもよい。
【００２４】
第１図は、実施の形態に係る防犯装置を備えたレジカウンタの斜視図であり、この防犯装置の展開体が展開した状態を示している。第２図は、この防犯装置の展開体の展開状態における正面図である。なお、第２図は、展開体を売り場側から見た図である。第３図（ａ）は第２図のIIIＡ−IIIＡ線に沿う断面図であり、第３図（ｂ）は第２図のIIIＢ−IIIＢ線に沿う断面図である。第４図は第２図のIV−IV線に沿う断面図である。第５図は第２図の展開体のダクト付近の分解斜視図である。第６図は第２図のVI−VI線に沿う断面図である。第７図（ａ）は第６図のVII−VII線に沿う断面図であり、第７図（ｂ）はインフレータ作動開始直後の第７図（ａ）と同様部分の断面図である。第８図はこの防犯装置の展開体が展開する前の断面図（垂直断面図）である。第９図は、この防犯装置の作動を示す店舗内の概略図であり、第９図（ａ）は防犯装置作動前を示し、第９図（ｂ）は防犯装置作動後を示している。なお、以下の説明において、前後方向、左右方向及び上下方向は、レジカウンタ内から売り場側を見た店員にとっての前後方向、左右方向及び上下方向と一致する。
【００２５】
第１図及び第９図（ａ），（ｂ）の通り、この実施の形態では、コンビニエンスストア等の店舗のレジカウンタＣに防犯装置１が設置されている。この防犯装置１は、レジカウンタＣの前面側（売り場側）に取り付けられている。
【００２６】
この防犯装置１は、レジカウンタＣの内側領域（店員側）と外側領域（売り場側）とを仕切るようにレジカウンタＣの前面側から上方へ展開可能な展開体１０と、強盗侵入時等の緊急時に該展開体１０を展開させる展開手段としてのガス発生器２０と、該展開体１０の展開時に売り場側に向って噴射するための液体Ｑを収納した袋体３０と、該展開体１０及びガス発生器２０をレジカウンタＣの前面に保持したリテーナ２と、折り畳まれた該展開体１０を覆っているモジュールカバー３と、該ガス発生器２０をガス発生作動させる制御回路（図示略）等を備えている。
【００２７】
この実施の形態では、第１，２図の通り、展開体１０は、展開完了した状態において、上下方向及び左右方向に延在した略長方形状の正面視形状を有している。この展開体１０が展開完了した状態におけるレジカウンタＣの上面から該展開体１０の上端までの高さＨ（第２図）は、８０〜１２０ｃｍ特に１００〜１２０ｃｍであることが好ましい。この実施の形態では、展開体１０の左右方向の幅は、レジカウンタＣの左右方向の幅と略同等となっている。なお、展開体１０の形状及び大きさはこれに限定されない。例えば、レジカウンタＣよりも左右方向の幅が小さい展開体１０を複数個、該レジカウンタＣの前面に沿って配列してもよい。レジカウンタＣの左側又は右側あるいは左右両側にも展開体１０を配設してもよい。この場合、レジカウンタＣの前面側の展開体１０と左側又は右側あるいは左右両側の展開体１０とが連続したものであってもよく、別個のものであってもよい。
【００２８】
展開体１０は、ガス発生器２０からの発生ガスが導入されることにより膨張する室１１Ｌ，１１Ｃ，１１Ｒ，１２Ｔ，１２Ｍ，１２Ｂを有している。この実施の形態では、室１１Ｌは、展開完了状態における展開体１０の左側の側辺に沿って該展開体１０の上端から下端まで上下方向に延在し、室１１Ｒは、該展開体１０の右側の側辺に沿って該展開体１０の上端から下端まで上下方向に延在している。室１１Ｃは、該展開体１０の左右方向の中間付近に配置され、該展開体１０の上端から下端まで上下方向に延在している。室１２Ｔは、該展開体１０の上辺に沿って該展開体１０の左端から右端まで左右方向に延在し、室１２Ｂは、該展開体１０の下辺に沿って該展開体１０の左端から右端まで左右方向に延在している。室１２Ｍは、該展開体１０の上下方向の中間付近に配置され、該展開体１０の左端から右端まで左右方向に延在している。以下、室１１Ｌ，１１Ｃ，１１Ｒを縦膨張室と呼び、室１２Ｔ，１２Ｍ，１２Ｂを横膨張室と呼ぶことがある。
【００２９】
左右の縦膨張室１１Ｌ，１１Ｒの上端は、それぞれ上側の横膨張室１２Ｔの左右両端に連通し、下端は、それぞれ下側の横膨張室１２Ｂの左右両端に連通している。中央の縦膨張室１１Ｃの上端は、上側の横膨張室１２Ｔの左右方向の中間付近に連通し、下端は、下側の横膨張室１２Ｂの左右方向の中間付近に連通している。中央の横膨張室１２Ｍの左右両端は、それぞれ左右の縦膨張室１１Ｌ，１１Ｒの上下方向の中間付近に連通している。縦膨張室１１Ｃと横膨張室１２Ｍとは、展開体１０の中央付近で交差し、互いに連通している。隣り合う縦膨張室１１Ｌ，１１Ｃ同士及び１１Ｃ，１１Ｒ同士の間隔はそれぞれ５０〜８０ｃｍ特に６０〜７０ｃｍであることが好ましく、隣り合う横膨張室１２Ｔ，１２Ｍ同士及び１２Ｍ，１２Ｂ同士の間隔はそれぞれ４０〜６０ｃｍ特に５０〜６０ｃｍであることが好ましい。
【００３０】
展開体１０が膨張完了した状態において、各縦膨張室１１Ｌ，１１Ｃ，１１Ｒの、延在方向と直交する断面の面積（以下、流路断面積という。）は５０〜１１０ｃｍ２特に５０〜１００ｃｍ２とりわけ７０〜１００ｃｍ２であることが好ましく、各横膨張室１２Ｔ，１２Ｍ，１２Ｂの流路断面積は２０〜５０ｃｍ２特に３０〜４０ｃｍ２であることが好ましい。なお、各縦膨張室１１Ｌ，１１Ｃ，１１Ｒの流路断面積が５０ｃｍ２よりも小さいと、展開した展開体１０がレジカウンタＣの上面から上方へ起立（自立）した姿勢を十分に維持することができなくなるおそれがある。
【００３１】
展開体１０のうち、縦膨張室１１Ｌ，１１Ｃの上半部と横膨張室１２Ｔ，１２Ｍの左半部とによって囲まれた領域、縦膨張室１１Ｃ，１１Ｒの上半部と横膨張室１２Ｔ，１２Ｍの右半部とによって囲まれた領域、縦膨張室１１Ｌ，１１Ｃの下半部と横膨張室１２Ｍ，１２Ｂの左半部とによって囲まれた領域、並びに縦膨張室１１Ｃ，１１Ｒの下半部と横膨張室１２Ｍ，１２Ｂの右半部とによって囲まれた領域は、それぞれ、ガスが導入されない非膨張部１３ＵＬ，１３ＵＲ，１３ＬＬ，１３ＬＲとなっている。なお、展開体１０に形成される縦膨張室、横膨張室及び非膨張部の個数及び配置はこれに限定されない。例えば、縦膨張室及び横膨張室は、それぞれ、１列、２列あるいは４列以上設けられてもよい。
【００３２】
第３図（ａ），（ｂ）及び第４図の通り、この実施の形態では、展開体１０は、その展開時の前面（売り場側の面）を構成するフロントパネル１０ａと、後面（店員側の面）を構成するリヤパネル１０ｂとを備えている。これらのパネル１０ａ，１０ｂは、例えば一般的な車両乗員拘束用エアバッグに用いられているものと同様の布材により構成することができる。具体的には、例えば高強度のナイロンやポリエステル等の糸で織られた基布に、ガスの漏出を防止するためのシリコーンやウレタン等のコーティングを施してなる布材にてパネル１０ａ，１０ｂを構成することができる。また、さらにパネル１０ａ，１０ｂの強度（例えば耐刃性や耐貫通性等）を高めるために、アラミド糸や超高強度ポリエチレン糸を用いた布材にてパネル１０ａ，１０ｂを構成することもできる。なお、パネル１０ａ，１０ｂを構成する材料はこれに限定されない。
【００３３】
これらのパネル１０ａ，１０ｂの外周縁部同士を縫合等により結合すると共に、各非膨張部１３ＵＬ，１３ＵＲ，１３ＬＬ，１３ＬＲの輪郭に沿ってこれらのパネル１０ａ，１０ｂ同士を縫合等の結合手段により結合することにより、各室１１Ｌ，１１Ｃ，１１Ｒ，１２Ｔ，１２Ｍ，１２Ｂ及び非膨張部１３ＵＬ，１３ＵＲ，１３ＬＬ，１３ＬＲが形成されている。符号Ｓ１は、これらのパネル１０ａ，１０ｂの外周縁部同士を縫合した縫目を示し、符号Ｓ２，Ｓ３，Ｓ４，Ｓ５は、それぞれ、各非膨張部１３ＵＬ，１３ＵＲ，１３ＬＬ，１３ＬＲの輪郭に沿ってこれらのパネル１０ａ，１０ｂ同士を縫合した縫目を示している。パネル１０ａ，１０ｂ同士を縫合するに際しては、該パネル１０ａ，１０ｂ同士の間にシール材（図示略）を介在させてこれらを縫い合わせる。これにより、該パネル１０ａ，１０ｂ同士の縫合部からのガスの漏出が防止される。なお、パネル１０ａ，１０ｂ同士の結合手段は縫合に限定されるものではなく、接着や溶着等の各種の結合手段を用いることができる。
【００３４】
これらのパネル１０ａ，１０ｂの外周の縫目Ｓ１と、その内側の縫目Ｓ２，Ｓ３，Ｓ４，Ｓ５との間が、左右の縦膨張室１１Ｌ，１１Ｒ及び上下の横膨張室１２Ｔ，１２Ｂとなっており、隣り合う縫目Ｓ２，Ｓ３，Ｓ４，Ｓ５同士の間が縦膨張室１１Ｃ及び横膨張室１２Ｍとなっている。なお、フロントパネル１０ａとリヤパネル１０ｂとは、一連のパネルにより構成されてもよい。
【００３５】
この実施の形態では、中央の横膨張室１２Ｍの前面（フロントパネル１０ａ）に、展開体１０が展開完了した状態において前方（売り場側）に向って開放する噴射口１４が設けられている。この実施の形態では、該横膨張室１２Ｍの左半側及び右半側にそれぞれ噴射口１４が設けられている。各噴射口１４は、展開完了状態の展開体１０の左右方向の中間から左方及び右方へそれぞれ８０ｃｍ以下特に７０ｃｍ以下の範囲に配置されていることが好ましい。また、各噴射口１４は、展開体１０が展開完了した状態において、レジカウンタＣの上面から５０〜８０ｃｍ特に６０〜７０ｃｍの高さに配置されていることが好ましい。各噴射口１４の開口面積は、５〜３０ｃｍ２特に１０〜２０ｃｍ２であることが好ましい。なお、噴射口１４の個数及び配置はこれに限定されない。例えば、この実施の形態では横膨張室１２Ｍの左半側及び右半側に噴射口１４が１個ずつ設けられているが、それぞれ噴射口１４が２個以上設けられてもよい。他の室１１Ｌ，１１Ｃ，１１Ｒ，１２Ｔ，１２Ｂの前面に噴射口１４が設けられてもよい。この実施の形態では、各噴射口１４の開口形状は円形となっているが、各噴射口１４の開口形状はこれに限定されない。
【００３６】
この実施の形態では、第３図（ａ）及び第４図の通り、各噴射口１４は、通気性及び通液性を有する膜体１５によって覆われている。この膜体１５は、後述のようにガス発生器２０がガス発生作動したときに横膨張室１２Ｍ内に流入した液体Ｑが、該横膨張室１２Ｍ内のガス圧により膜体１５を透過して該横膨張室１２Ｍの外部に流出しうるように構成されている。このような膜体１５を構成する材料としては、比較的高密度で織られており且つ表面にコーティングが施されていない、通気性及び通液性を有する布又は不織布、あるいは多孔質フィルム等が好適である。具体的には、例えばＪＩＳ  Ｌ１０９６により規定されるフラジール法による通気量が０．１５〜１．０ｃｃ／ｃｍ２／ｓｅｃ特に０．３〜０．６ｃｃ／ｃｍ２／ｓｅｃである材料が好ましい。ただし、膜体１５の材料はこれに限定されない。この膜体１５は、横膨張室１２Ｍの内側から各噴射口１４の全体を覆うように配置され、その周縁部が全周にわたって縫着等の結合手段により各噴射口１４の周縁部に結合されている。第３図（ａ）及び第４図の符号Ｓ６は、この膜体１５を各噴射口１４の周縁部に縫着した縫目を示している。なお、膜体１５を各噴射口１４の周縁部に結合する結合手段は縫着に限定されるものではなく、接着や溶着等の各種の結合手段を用いることができる。
【００３７】
このような膜体１５によって各噴射口１４を覆うことにより、横膨張室１２Ｍ内の液体Ｑは、該膜体１５の微細な孔を通ってスプレー状に各噴射口１４から噴射されるようになる。なお、このような膜体１５の代わりに、規則的に細孔が形成された孔開きシートや網等を各噴射口１４に取り付けてもよい。
【００３８】
この実施の形態では、展開体１０の下辺に、ガス発生器２０からの発生ガスをこれらの室１１Ｌ，１１Ｃ，１１Ｒ，１２Ｔ，１２Ｍ，１２Ｂに導入するためのダクト１６が連結されている。この実施の形態では、該ダクト１６は、一端側（基端側）が横膨張室１２Ｂの左右方向の中間付近に連通している。このダクト１６は、該横膨張室１２Ｂから下方に延出した後、左方又は右方（この実施の形態では右方）に曲がり、この曲部から他端側が展開体１０の下辺に沿って延在したＬ字形のものとなっている。なお、ダクト１６の形状や配置はこれに限定されない。このダクト１６の他端側（先端側）は開放端となっており、この開放端からダクト１６内にガス発生器２０の先端側（ガス発生部）が挿入されている。
【００３９】
第５図の通り、この実施の形態では、ダクト１６は、その前面側を構成するフロントパネル１６ａと、後面側を構成するリヤパネル１６ｂとを備えている。これらのパネル１６ａ，１６ｂは、展開体１０を構成するパネル１０ａ，１０ｂと同一の材料により構成されている。なお、ダクト１６のパネル１６ａ，１６ｂと、展開体１０のパネル１０ａ，１０ｂとは、異なる材料により構成されてもよい。この実施の形態では、ダクト１６のパネル１６ａ，１６ｂは、展開体１０のパネル１０ａ，１０ｂと別体に構成されている。なお、ダクト１６のパネル１６ａ，１６ｂと展開体１０のパネル１０ａ，１０ｂとは、一体に構成されていてもよい。第５図の通り、このダクト１６のフロントパネル１６ａは、基端側が展開体１０のフロントパネル１０ａの下辺の左右方向の中間付近に縫合等の結合手段により結合されており、ダクト１６のリヤパネル１６ｂは、基端側が展開体１０のリヤパネル１０ｂの下辺の左右方向の中間付近に縫合等の結合手段により結合されている。符号Ｓ７は、このダクト１６のフロントパネル１６ａを展開体１０のフロントパネル１０ａに縫着した縫目を示し、符号Ｓ８は、ダクト１６のリヤパネル１６ｂを展開体１０のリヤパネル１０ｂに縫着した縫目を示している。なお、フロントパネル１６ａ，１０ａ同士並びにリヤパネル１６ｂ，１０ｂ同士の結合手段は縫合に限定されるものではなく、接着や溶着等の各種の結合手段を用いることができる。
【００４０】
このようにダクト１６のフロントパネル１６ａ及びリヤパネル１６ｂをそれぞれ展開体１０のフロントパネル１０ａ及びリヤパネル１０ｂに連結した後、第５図の通り、これらのパネル１０ａ，１０ｂの外周縁部同士とパネル１６ａ，１６ｂの外縁部同士とを一続きに縫目Ｓ１に沿って結合する。これにより、横膨張室１２Ｂにダクト１６が連通した展開体１０が構成される。なお、パネル１６ａ，１６ｂの先端縁同士は非結合とされており、これによりダクト１６は、先端側が開放端となっている。
【００４１】
なお、このダクト１６の各パネル１６ａ，１６ｂを縫目Ｓ７，Ｓ８に沿って展開体１０の各パネル１０ａ，１０ｂに縫着する際、並びに該ダクト１６のパネル１６ａ，１６ｂの外縁部同士を縫目Ｓ１に沿って縫合する際には、これらのパネル１６ａ，１０ａ同士の間、１６ｂ，１０ｂ同士の間、並びに１６ａ，１６ｂ同士の間にもシール材（図示略）を介在させてこれらを縫い合わせる。これにより、該パネル１６ａ，１６ｂ，１０ａ，１０ｂ同士の縫合部からのガスの漏出が防止される。
【００４２】
この実施の形態では、該ダクト１６内に前記袋体３０が配置されている。この袋体３０は、該ダクト１６の延在方向の途中部（ガス発生器２０よりもダクト１６の基端に近い位置）に位置している。この袋体３０は、該ガス発生器２０がガス発生作動したときに、該ガス発生器２０からの発生ガス圧により破裂して液体Ｑをダクト１６内に放出するように構成されている。この実施の形態では、該袋体３０は、略長方形状の２枚の合成樹脂フィルムの周縁部同士を溶着等により結合して袋状とし、内部に液体Ｑを充填したものである。この袋体３０を構成するフィルムとしては、例えば、一方向には裂けにくく且つこれと直交方向には裂け易くなるように一軸延伸された合成樹脂フィルムをベースにしたラミネート複合フィルムが好適である。このフィルムの材料としては、具体的には、一軸延伸されたポリプロピレンのフィルムをベースとし、その内面に、溶着性向上のためにポリエチレンのフィルムを積層した複合フィルムが好ましい。この複合フィルムを、一辺が該延伸方向となるように略長方形に形成し、この長方形フィルムを２枚、該延伸方向が同一方向となるように重ね合わせて周縁部同士を溶着する。これにより、該一方向に裂け易い袋体３０が構成される。この袋体３０の該一方向の両端側の側辺部には、それぞれ、この袋体３０の破裂を誘導するための切り込み部３１が設けられている。
【００４３】
このように構成された袋体３０を、第５図に示すように、ダクト１６のフロントパネル１６ａとリヤパネル１６ｂとの外縁部同士を縫合する際に、これらのパネル１６ａ，１６ｂ同士の間に挟み込んでおく。この際、袋体３０は、該一方向をダクト１６の延在方向と略平行方向とし、これと直交方向の両端側の側辺部をそれぞれ各パネル１６ａ，１６ｂの両外縁部同士の間に配置する。その後、各パネル１６ａ，１６ｂの両外縁部同士の間に袋体３０の両側辺部を挟み込んだ状態で縫目Ｓ１に沿ってこれらを縫い合わせることにより、ダクト１６内に袋体３０が固定設置される。
【００４４】
なお、袋体３０の構成、配置並びに固定方法は、これに限定されない。
【００４５】
この実施の形態では、袋体３０に収納された液体Ｑは、マーキング用の塗料である。ただし、液体Ｑの種類はこれに限定されるものではなく、例えば催涙剤等であってもよい。また、この実施の形態では袋体３０が１個だけ設けられているが、２個以上設けられてもよい。この場合、各袋体３０により、収納された液体Ｑの種類が異なっていてもよい。あるいは、袋体３０の内部を複数個の室に仕切り、各室に液体Ｑを収納するように構成してもよい。この場合、各室により、収納された液体Ｑの種類が異なっていてもよい。
【００４６】
この実施の形態では、該袋体３０、ガス発生器２０、各噴射口１４、並びにダクト１６から各噴射口１４までの各室１２Ｂ，１１Ｌ，１１Ｃ，１１Ｒ，１２Ｍにより、液体噴射手段が構成されている。
【００４７】
この実施の形態では、展開体１０の下辺に、該展開体１０を前記リテーナ２に取り付けるための耳状の取付片１７が設けられている。
【００４８】
この展開体１０は、第８図の通り、上下方向の高さが小さくなるように折り畳まれた状態とされている。この実施の形態では、展開体１０は、第８図の通り、上下左右に平たく展延され、次いで上端側から下端側に向ってロール状に巻回されることにより、左右方向に細長い棒状の折り畳み体とされている。このロール折りに際し、展開体１０は、フロントパネル１０ａ側がロールの中心側となるようにロール折りされている。なお、展開体１０の折り畳み方法はこれに限定されない。展開体１０を折り畳んだ後、この展開体１０の折り畳み体を包むようにバッグカバー４（第８図）を装着して、この展開体１０の折り畳み体を保形する。このバッグカバー４は、各室１１Ｌ，１１Ｃ，１１Ｒ，１２Ｔ，１２Ｍ，１２Ｂが膨張したときに、これらの膨張圧により破断して展開体１０の保形を解除するように構成されている。
【００４９】
この実施の形態では、ガス発生器２０は棒状のものであり、その長手方向の一端側（先端側）にガス噴出部（符号略）が設けられている。ガス発生器２０の他端側からは、このガス発生器２０への通電用のハーネス（図示略）が延出している。このハーネスが前記制御回路に接続されている。このガス発生器２０の先端側がダクト１６に挿入され、該ダクト１６の外周側からバンド２１が締め付けられることにより、ガス発生器２０がダクト１６に連結されている。バンド２１からは、ガス発生器２０をリテーナ２に固定するためのボルト２２が突設されている。この実施の形態では、ガス発生器２０の長手方向に間隔をおいて２個のバンド２１が設けられているが、バンド２１の個数はこれに限定されない。また、ガス発生器２０とダクト１６との連結方法、並びにガス発生器２０のリテーナ２への固定方法も、これに限定されない。
【００５０】
このガス発生器２０としては、火薬式、高圧ガスを火薬によって加熱膨張させるハイブリット式、高圧ガスを貯蔵し、火薬によって弁を開放させてガスを放出するガス貯蔵式など、各種の形態のものを用いることができる。
【００５１】
リテーナ２は、第８図の通り、レジカウンタＣの前面に沿って配置された基部２ａと、該基部２ａの上端から前方に張り出す棚状部２ｂとを有している。このリテーナ２は、レジカウンタＣの左端側から右端側まで連続して延在している。この棚状部２ｂの上側に展開体１０の折り畳み体とガス発生器２０とが配置されている。展開体１０は、前記取付片１７を介してその下端側がボルトやリベット等の固着具（図示略）により該棚状部２ｂに留め付けられている。ガス発生器２０は、前記ボルト２２が棚状部２ｂのボルト挿通孔（図示略）に挿通され、該棚状部２ｂの下側から該ボルト２２にナット２３が締め付けられることにより、該棚状部２ｂに固定されている。
【００５２】
前記モジュールカバー３は、これらのリテーナ２、展開体１０の折り畳み体並びにガス発生器２０の全体を覆う横長の箱状となっている。第８図の通り、このモジュールカバー３の天井部の裏面にはテアライン３ａ（線状の脆弱部）が形成されており、該モジュールカバー３は、各室１１Ｌ，１１Ｃ，１１Ｒ，１２Ｔ，１２Ｍ，１２Ｂが膨張したときに、これらの膨張圧により該テアライン３ａに沿って開裂して展開体１０の上方への展開を許容するように構成されている。
【００５３】
モジュールカバー３は、その天井部の上面がレジカウンタＣの上面と略面一となるように該レジカウンタＣの前面に沿って配置され、その下部がリテーナ２の基部２ａと共にボルト５によって該レジカウンタＣに前面に留め付けられている。なお、防犯装置１のレジカウンタＣへの設置方法はこれに限定されない。
【００５４】
第９図の通り、レジカウンタＣの後面にはスイッチ６が設けられている。このスイッチ６は、防犯装置１の制御回路に接続されている。該制御回路は、このスイッチ６が押されたときに、ガス発生器２０に作動信号を出力し、該ガス発生器２０をガス発生作動させるように構成されている。なお、第９図では、スイッチ６は、レジカウンタＣの後面の上部に配置されており、店員が立った状態で手でこのスイッチ６を押すようになっているが、レジカウンタＣの後面の下部や床にスイッチ６を配置し、店員が足でこのスイッチ６を押すようにしてもよい。レジカウンタＣの後面の上部と下部又は床との双方にスイッチ６を配置してもよい。これ以外の場所にスイッチ６を配置してもよい。スイッチ６を押すこと以外にも、例えば防犯カメラによって店内の異常が検知されることなどによってガス発生器２０がガス発生作動するように構成してもよい。
【００５５】
このように構成された防犯装置１の作動は次の通りである。
【００５６】
第９図（ａ）のように、店内に強盗等が侵入した場合等の緊急時には、店員がスイッチ６を押す。これにより、防犯装置１の制御回路がガス発生器２０をガス発生作動させる。
【００５７】
ガス発生器２０がガス発生作動すると、該ガス発生器２０からダクト１６内にガスが噴出する。このガス発生器２０からのガス圧により、第７図（ｂ）の通り、袋体３０が破裂し、ダクト１６内に液体Ｑ（この実施の形態では塗料）が放出される。その後、このガス発生器２０からのガスは、ダクト１６を通って横膨張室１２Ｂ内に流入し、該横膨張室１２Ｂを膨張させる。この横膨張室１２Ｂの膨張に伴い、モジュールカバー３の天井部が開裂する。次いで、ガスは、横膨張室１２Ｂから各縦膨張室１１Ｌ，１１Ｃ，１１Ｒに流入し、各縦膨張室１１Ｌ，１１Ｃ，１１Ｒを膨張させる。この縦膨張室１１Ｌ，１１Ｃ，１１Ｒの膨張により展開体１０が上方へ展開し、第９図（ｂ）の通り、この展開体１０によってレジカウンタＣの店員側と売り場側とが仕切られるようになる。これにより、店員に危害が加えられたり、レジ内の金が盗まれるなどの犯行を防止することができる。
【００５８】
この展開体１０の展開途中及び展開後期において、各縦膨張室１１Ｌ，１１Ｃ，１１Ｒから各横膨張室１２Ｍ，１２Ｔにガスが流入し、各横膨張室１２Ｍ，１２Ｔが膨張する。そして、この横膨張室１２Ｍの前面に設けられた各噴射口１４から売り場側へ向って該横膨張室１２Ｍ内のガスが流出するようになる。第３図（ａ），（ｂ）及び第４図の通り、このガス中には、袋体３０から放出された液体Ｑが含まれているので、この流出ガスと共に、液体Ｑが各噴射口１４から売り場側へ向って噴射される。これにより、第９図（ｂ）の通り、展開体１０がレジカウンタＣの店員側と売り場とを隔てるように展開すると共に、この展開体１０の各噴射口１４から売り場に向って液体Ｑが噴射され、犯人等へのマーキングが行われる。
【００５９】
以上の通り、この防犯装置１にあっては、展開体１０と共通のガス発生器２０からの発生ガス圧により、該展開体１０の展開時に液体Ｑが売り場側に向って噴射される。これにより、展開体１０を展開させるためのガス発生器２０とは別個に、液体Ｑを噴射するための動力源を設けることが不要であり、防犯装置１の構成の簡易化及び低コスト化を図ることが可能である。
【００６０】
この実施の形態では、展開体１０に連なるダクト１６内に、液体Ｑを収納した袋体３０が配置され、ガス発生器２０がガス発生作動したときに、その発生ガス圧により袋体３０が破裂して該ガス中に液体Ｑが放出されるように構成されている。また、このガスによって膨張する展開体１０の横膨張室１２Ｍの前面に、売り場側へ開放した噴射口１４が設けられており、展開体１０の展開時には、液体Ｑを含んだガスが横膨張室１２Ｍ内から該噴射口１４を通って横膨張室１２Ｍ外へ流出することにより、液体Ｑが売り場側に向って噴射される。これにより、きわめて簡易な構成にて、展開体１０の展開時に液体Ｑを売り場側に向って噴射することが可能である。また、このように展開体１０の前面に噴射口１４を設けたことにより、噴射口１４からマーキング対象者までの距離が比較的近くなるので、噴射口１４から噴射された液体Ｑが速やかに且つ過度に拡散する前にマーキング対象者に付着するようになる。
【００６１】
この実施の形態では、各噴射口１４は、通気性及び通液性を有する膜体１５によって覆われているので、横膨張室１２Ｍ内の液体Ｑが各噴射口１４から噴射されるときに、この膜体１５の微細な孔を通ってスプレー状に噴射されるようになる。これにより、各噴射口１４から比較的広範囲に略均等に液体Ｑを噴射することが可能である。
【００６２】
この実施の形態では、展開体１０には、該展開体１０が展開完了した状態において上下方向に延在する複数個（この実施の形態では３個）の縦膨張室１１Ｌ，１１Ｃ，１１Ｒと、該縦膨張室１１Ｌ，１１Ｃ，１１Ｒ同士を連通した複数個（この実施の形態では３個）の横膨張室１２Ｔ，１２Ｍ，１２Ｂとが設けられている。このように展開体１０に複数個の膨張室１１Ｌ，１１Ｃ，１１Ｒ，１２Ｔ，１２Ｍ，１２Ｂを設けることにより、展開体１０の膨張厚みが過度に大きくなることが防止される。また、各縦膨張室１１Ｌ，１１Ｃ，１１Ｒの膨張により、展開体１０の上下方向の展開が助勢されると共に、各横膨張室１２Ｔ，１２Ｍ，１２Ｂの膨張により、展開体１０の横方向の展開が助勢される。しかも、これらの柱状の縦膨張室１１Ｌ，１１Ｃ，１１Ｒと梁状の横膨張室１２Ｔ，１２Ｍ，１２Ｂとが格子状に連なっているので、展開完了後の展開体１０の剛性が高いものとなり、例えば犯人等がこの展開体１０を押し退けようとしても、しっかりと対抗することができる。
【００６３】
この実施の形態では、隣り合う縦膨張室１１Ｌ，１１Ｃ，１１Ｒ同士及び横膨張室１２Ｔ，１２Ｍ，１２Ｂ同士は、それぞれ間隔をおいて配置されており、展開体１０のうち、これらの縦膨張室１１Ｌ，１１Ｃ，１１Ｒ同士の間且つ横膨張室１２Ｔ，１２Ｍ，１２Ｂ同士の間の部分は、それぞれ、ガスが導入されない非膨張部１３ＵＬ，１３ＵＲ，１３ＬＬ，１３ＬＲとなっている。そのため、展開体１０が比較的広い展開面積を有したものであっても、各室１１Ｌ，１１Ｃ，１１Ｒ，１２Ｔ，１２Ｍ，１２Ｂの容積が過度に大きくなることがないので、ガス発生器２０として高出力のものを用いなくても、十分に早期に展開体１０を展開させることができる。
【００６４】
この実施の形態では、展開体１０が展開完了した状態において、各縦膨張室１１Ｌ，１１Ｃ，１１Ｒの流路断面積は、好ましくは５０〜１１０ｃｍ２特に好ましくは５０〜１００ｃｍ２さらに好ましくは７０〜１００ｃｍ２となっているので、展開完了した展開体１０がしっかりと自立するようになる。
【００６５】
上記実施の形態は本発明の一例であり、本発明は、図示以外の形態をもとりうる。
【００６６】
例えば、上記の実施の形態では、展開体１０に連なるダクト１６内に袋体３０を配置しているが、袋体３０の配置はこれに限定されない。図示は省略するが、例えば噴射口１４が設けられた横膨張室１２Ｍ内に袋体３０を配置し、展開体１０の展開時に該横膨張室１２Ｍ内に流入するガスの圧力により袋体３０が破裂して該横膨張室１２Ｍ内に液体Ｑが放出されるように構成してもよい。あるいは、袋体３０を噴射口１４に配置し、この噴射口１４から流出しようとするガスの圧力により袋体３０が破裂して該噴射口１４に液体Ｑが放出されるように構成してもよい。
【００６７】
上記の実施の形態では、展開体１０は、レジカウンタＣの上面から上方へ展開するように配設されているが、展開体１０の配置及び展開方向はこれに限定されない。図示は省略するが、展開体１０は、例えばレジカウンタＣの上方の天井から下方へ展開するように配設されてもよい。あるいは、展開体１０は、例えばレジカウンタＣの側方の壁から該レジカウンタＣの上側へ横向きに展開するように配設されてもよい。
【符号の説明】
【００６８】
１  防犯装置
２  リテーナ
３  モジュールカバー
１０  展開体
１１Ｌ，１１Ｃ，１１Ｒ  室（縦膨張室）
１２Ｔ，１２Ｍ，１２Ｂ  室（横膨張室）
１３ＵＬ，１３ＵＲ，１３ＬＬ，１３ＬＲ  非膨張部
１４  噴射口
１５  膜体
１６  ダクト
２０  ガス発生器
３０  袋体
【図１】
2011175359.tif 000003
【図２】
2011175359.tif 000004
【図３】
2011175359.tif 000005
【図４】
2011175359.tif 000006
【図５】
2011175359.tif 000007
【図６】
2011175359.tif 000008
【図７】
2011175359.tif 000009
【図８】
2011175359.tif 000010
【図９】
2011175359.tif 000011